(57)【要約】【課題】複数クライアントの制御権限を自動的に設定するとともに、緊急時には割り当て予定にかかわらず制御権限を獲得でき、且つ作業権限切替時の作業の持続性を考慮したネットワーク管理サーバ及びクライアント操作管理方法を提供する。【解決手段】複数のクライアントを有するネットワーク管理サーバにおいて、少なくともクライアント情報、ユーザ情報またはスケジュール情報を格納する管理データベース１４と、クライアント２からのネットワーク装置制御要求時に該管理データベース１４の内容から要求クライアントが制御操作を許可されているかをチェックするクライアント情報チェック部１３と、少なくとも装置情報またはネットワーク情報を格納するシステムデータベース１５の内容をもとに管理対象装置との間で制御操作を行い、そのコマンド履歴を格納するコマンド履歴データベース１９とを有する。【選択図】図２
2007096707.tif 000002
【特許請求の範囲】
【請求項１】
複数のクライアントを有するネットワーク管理サーバにおいて、
少なくともクライアント情報、ユーザ情報またはスケジュール情報を格納する管理データベースと、  
クライアントからのネットワーク装置制御要求時に前記管理データベースの内容から当該要求クライアントが制御操作を許可されているか否かをチェックするクライアント情報チェック部と、  
少なくとも管理対象となる装置の装置情報またはネットワーク情報を格納するシステムデータベースと、
前記システムデータベースの内容をもとに管理対象装置との間で制御操作を行いそのコマンド履歴を格納するコマンド履歴データベースと、
を有することを特徴とするネットワーク管理サーバ。
【請求項２】
通信ネットワークシステムを構成する装置を制御するネットワーク管理サーバのクライアント操作管理方法であって、
前記ネットワーク管理サーバ内に予めクライアント操作権限のスケジュール情報を設定し蓄積するステップと、
前記スケジュール情報をもとに、時刻に応じて前記ネットワーク管理サーバから前記クライアントへ状態変更情報を送信するステップと、
前記クライアントはサーバからの状態更新情報に従い操作できる機能を設定するステップと、
を含むことを特徴とするクライアント操作管理方法。
【請求項３】
請求項２に記載のクライアント操作管理方法において、
更に、クライアントからのネットワーク装置制御要求時に前記スケジュール情報の格納内容から当該要求クライアントが制御操作を許可されているか否かをチェックするステップと、
少なくとも装置情報またはネットワーク情報を格納するシステムデータベースの内容をもとに管理対象装置との間でクライアントの制御操作を行うステップと、
クライアントが操作したコマンド履歴をコマンド履歴データベースへ格納するステップと、
を含むことを特徴とするクライアント操作管理方法。
【請求項４】
通信ネットワークシステムを構成する装置を制御するネットワーク管理サーバのクライアント操作管理方法であって、
予め設定しておいた割り込みパスワード入力の認証をチェックするステップと、
認証許可を得たクライアントから状態変更情報を前記サーバへ通知するステップと、
前記サーバは割込みクライアントへ割込みを許可する状態更新情報を送信するステップと、
を含むことを特徴とするクライアント操作管理方法。
【請求項５】
通信ネットワークシステムを構成する装置を制御するネットワーク管理サーバのクライアント操作管理方法であって、
予め設定しておいたクライアント操作権限のスケジュール情報が時刻に応じて別のクライアントへ操作権限を与える際に、前に操作権限の有ったクライアントで操作した作業記録情報を新たなクライアントヘ送信するステップと、
前記新たなクライアントのモニタへ前記作業記録情報を表示するステップと、
を含むことを特徴とするクライアント操作管理方法。
【発明の詳細な説明】
【技術分野】
【０００１】
本発明は、通信ネットワークシステムを構成する装置を制御するネットワーク監視・制御装置におけるクライアント操作管理に係り、特に、複数クライアント間での操作管理を制御するネットワーク管理サーバ及びクライアント操作管理方法に関するものである。
【背景技術】
【０００２】
図１は、本発明が対象とする複数のクライアントにより管理されるネットワークの構成図である。図１において、１は管理、通信制御などのサービスを提供するサーバ、２1 と２2 はサーバのサービスを利用するネットワークに接続されたクライアントである。クライアント２1 は昼間管理を受持ち、例えば本社の管理部に設置され、クライアント２2 は夜間管理を受持ち、例えば集中管理センターに設置される。３1 、３2 、３3 、３4 は管理対象の装置Ａ，装置Ｂ、装置Ｃ、装置Ｄであり、装置３1 は大阪に、装置３2 は東京に、装置３3 は名古屋に、装置３4 は仙台にと広域にまたがって設置され、通信ネットワークを構成している。
【０００３】
複数のクライアントから操作者が制御を行うことができるシステムの場合、従来の方法では、例えば、管理者ごとに操作権限を設定し、制御・バス設定など運用に影響を及ぼす作業については権限を有する者が実施する方法をとっている。そして、クライアントが指定する時間内においてネットワーク内のアクセス優先権が与えられ、クライアントからネットワーク環境の提供を要求に対してサーバは個別のネットワークを設定し所定のアドレスの使用許可を通知し、そのネットワークについてのアクセス優先権を与えると共にそのネットワークの使用時間を管理する方法およびそのシステム開示されている。（例えば、特許文献１参照。）。
【特許文献１】特開２００２−１０８８１３公報
【発明の開示】
【発明が解決しようとする課題】
【０００４】
従来の方法のように作業者の権限による優先度方法では主たる作業者が固定されてしまい、日時によって変化する運用、例えば、昼間は各拠点で、夜間は集中管理センターで監視・制御する運用に対応し切れなかった。
【０００５】
また、このような従来方法では同等の権限を持っている者を複数設定する必要があるが、複数の作業者が別々の拠点から同時に作業を行うことが可能となり、作業の競合が発生する危険性があった。
【０００６】
本発明は、上記の問題点を解消するために成されたもので、複数のクライアント間での操作管理において、他クライアントとの排他制御をサーバにて一括管理することにより、制御のミスを防ぐことができるネットワーク管理サーバ及びクライアント操作管理方法を提供することを目的とする。
【０００７】
また、本発明は、パスワードによる割込み操作を行うことができるようにして、緊急時に一時的に操作権限を取得する必要がある事態にも対応できるネットワーク管理サーバ及びクライアント操作管理方法を提供することを目的とする。
【０００８】
更に、操作記録情報の伝達により排他制御を行いつつも操作連携を実現できるネットワーク管理サーバ及びクライアント操作管理方法を提供することを目的とする。
【課題を解決するための手段】
【０００９】
上記課題を解決するための第１の発明は、複数のクライアントを有するネットワーク管理サーバにおいて、少なくともクライアント情報、ユーザ情報またはスケジュール情報を格納する管理データベースと、クライアントからのネットワーク装置制御要求時に前記管理データベースの内容から当該要求クライアントが制御操作を許可されているか否かをチェックするクライアント情報チェック部と、少なくとも管理対象となる装置の装置情報またはネットワーク情報を格納するシステムデータベースと、前記システムデータベースの内容をもとに管理対象装置との間で制御操作を行いそのコマンド履歴を格納するコマンド履歴データベースとを有する。
【００１０】
この第１の発明によれば、複数のクライアント間での操作管理において、他クライアントとの排他制御をサーバにて一括管理することにより、制御のミスを防ぐことができるネットワーク管理サーバを提供できる。
【００１１】
第２の発明は、通信ネットワークシステムを構成する装置を制御するネットワーク管理サーバのクライアント操作管理方法であって、前記ネットワーク管理サーバ内に予めクライアント操作権限のスケジュール情報を設定し蓄積するステップと、前記スケジュール情報をもとに、時刻に応じて前記ネットワーク管理サーバから前記クライアントへ状態変更情報を送信するステップと、前記クライアントはサーバからの状態更新情報に従い操作できる機能を設定するステップとを含む。
【００１２】
この第２の発明によれば、複数のクライアント間での操作管理において、他クライアントとの排他制御をサーバにて一括管理することにより、制御のミスを防ぐことができるクライアント操作管理方法を提供できる。
【００１３】
第３の発明は、第２の発明に記載のクライアント操作管理方法において、更に、クライアントからのネットワーク装置制御要求時に前記スケジュール情報の格納内容から当該要求クライアントが制御操作を許可されているか否かをチェックするステップと、少なくとも装置情報またはネットワーク情報を格納するシステムデータベースの内容をもとに管理対象装置との間でクライアントの制御操作を行うステップと、クライアントが操作したコマンド履歴をコマンド履歴データベースへ格納するステップとを含む。
【００１４】
この第３の発明によれば、複数のクライアント間での操作管理において、他クライアントとの排他制御をサーバにて一括管理することにより、制御のミスを防ぐことができるクライアント操作管理方法を提供できる。
【００１５】
第４の発明は、通信ネットワークシステムを構成する装置を制御するネットワーク管理サーバのクライアント操作管理方法であって、予め設定しておいた割り込みパスワード入力の認証をチェックするステップと、認証許可を得たクライアントから状態変更情報を前記サーバへ通知するステップと、前記サーバは割込みクライアントへ割込みを許可する状態更新情報を送信するステップとを含む。
【００１６】
この第４の発明によれば、パスワードによる割込み操作を行うことができるようにして、緊急時に一時的に操作権限を取得する必要がある事態にも対応できるクライアント操作管理方法を提供できる。
【００１７】
第５の発明は、通信ネットワークシステムを構成する装置を制御するネットワーク管理サーバのクライアント操作管理方法であって、予め設定しておいたクライアント操作権限のスケジュール情報が時刻に応じて別のクライアントへ操作権限を与える際に、前に操作権限の有ったクライアントで操作した作業記録情報を新たなクライアントヘ送信するステップと、前記新たなクライアントのモニタへ前記作業記録情報を表示するステップとを含む。
【００１８】
この第５の発明によれば、操作記録情報の伝達により排他制御を行いつつも操作連携を実現できるクライアント操作管理方法を提供できる。
【発明の効果】
【００１９】
以上、本発明によれば、
（１）他クライアントとの排他制御をサーバにて一括管理することにより、従来の課題にあるような制御のミスを防ぐ共同運用が可能である。
【００２０】
（２）パスワードによる割り込み操作を行うことができるため、緊急時に一時的に操作権限を取得する必要がある事態にも対応可能である。
【００２１】
（３）操作記録情報の伝達により、排他制御を行いつつも操作連携を実施することが可能である。
【発明を実施するための最良の形態】
【００２２】
以下、本発明の実施の形態について、図を参照しながら説明する。なお、全図を通じて理解を容易にするために同様箇所には、同一符号を付して示すものとする。
【００２３】
図２は、本発明の一実施形態におけるサーバのブロック構成図である。同図において、１１はクライアント２1 、２2 との間でクライアント２1 、２2 からの制御受け付けと、クライアント２1 、２2 への応答を仲介するクライアント・インターフェース部、１２は時計機能を有するシステムクロック、１３はクライアント２1 、２2 からのネットワーク制御要求時に管理データーベース１４の内容から当該要求クライアントが制御操作を許可されているか否かをチェックするクライアント情報チェック部、１４は少なくともクライアント情報、ユーザ情報またはスケジュール情報を格納する管理データベース、１５は少なくとも装置情報またはネットワーク情報を格納するシステムデータベース、１６は管理対象装置３への送信データを生成する送信データ生成部、１７は管理対象装置３からの応答結果情報を受信する応答データ受信部、１８は管理対象ネットワークとの間でネットワーク通信を仲介するネットワーク通信インターフェース部、１９はクライアント２1 、２2 の操作によるコマンド履歴を格納するコマンド履歴データーベースである。
【００２４】
図３は、本発明によるクライアントの機能ブロック図である。同図において、２１はモニタ４の画面上にボタンやアイコンを表示し、ファイルやウインドウをマウスなどで操作できるようにしてあるグラフィカル・ユーザ・インターフェース部（ＧＵＩ）、２２は応答処理部、２３は送信処理部、２４は少なくともオペレーティングシステム（ＯＳ）、ブラウザ、アプリケーションまたは操作ログを格納するメモリ、２５はサーバ１との間で情報の送受を仲介するサーバ・インターフェース部である。
【００２５】
なお、メモリ２４に格納されるオペレーティングシステム（ＯＳ）は、プログラムの実行を制御するソフトウェアであって、資源割振り、スケジューリング、入出力制御、データ管理などのサービスを提供する。ブラウザは、データベース上の情報を検索し閲覧するソフトウェアである。アプリケーションは、データ処理技術を適用して特定の目的を達成する仕事である。操作ログは、ネットワーク装置に対する実際のクライアントからのアクセス経過を記録したものである。
【００２６】
図４は、本発明によるモニタに表示される管理スケジュール画面の一実施例である。同図において、モニタ４にクライアント１は第一優先を、クライアント２は第二優先を表示しており、スケジュールとして平日の時間帯における優先端末と、土曜、日祝における優先端末が表示されている。またスケジュール操作の際に使用する追加ボタン、変更ボタン、削除ボタンがタッチ画面を形成している。割込作業ボタンは、スケジュール外割込み操作の時に使用するものでタッチ画面を形成している。なお、スケジュール操作により現在のスケジュールを変更または削除する場合には、画面上で対処スケジュールにチェックを入れる。
【００２７】
図５は、図４における各操作ボタン押下後のパスワード入力画面の一実施例である。操作者がクライアントを操作してスケジュール操作又は割込作業をするためにはパスワードが必要となり、その入力画面の一実施例としてのパスワード入力画面６の表示を示す。
【００２８】
図６は、図４におけるスケジュール追加画面の一実施例である。同図において、スケジュール追加画面７内に表示される開始時刻・終了時刻、優先クライント名および曜日指定は、プルダウンにより選択される。
【００２９】
プルダウンとは画面操作でメニューから項目を選択する方式の一つであり、メニューのタイトルの位置にカーソルを合わせてボタンをクリックすると、そこから選択項目の一覧が引き出されたように垂れ下がってくる表示方法のことを示す。パソコンなどのＧＵＩ（Graphical User Interface）で使用されるメニューの一つである。
【００３０】
図７は、図４におけるスケジュール変更画面の一実施例である。同図において、スケジュール変更画面８内には＜現在の設定＞が表示されており、操作者は、現在の設定表示を見ながら、変更内容を間違いなく設定することができる。スケジュール変更の手順は、図６のスケジュール追加の場合と同様に開始時刻・終了時刻、優先クライント名および曜日指定を、プルダウンにより選択して変更内容を入力する。
【００３１】
図８は、図４におけるスケジュール削除画面の一実施例である。同図において、スケジュール削除画面９内には操作者が選択設定したスケジュール削除対象のデータが表示される。従って、操作者は、希望するスケジュールを削除する際に、誤りがないかの確認ができる。
【００３２】
第９図は、本発明の一実施形態における複数クライアント間での操作管理制御フローチャートである。以下、図９の動作フローについて、図２を用いて説明する。
【００３３】
Ｓ１．クライアント２1 、２2 から管理対象ネットワーク装置の制御要求を行う。
【００３４】
Ｓ２．スケジュール情報を管理データベース１４から取得するとともに、日時情報をシステムクロック１２から取得する。。
【００３５】
Ｓ３．Ｓ２の結果、要求クライアントが操作を許可されている時刻か否かを判断する。      
【００３６】
Ｓ４．Ｓ３にてＹｅｓの場合、送信データ生成部１６にて制御要求の送信データを作成し、ネットワーク通信インターフェース部１８を経由して操作対象の装置に対して制御要求を実行する。
【００３７】
Ｓ５．応答データ受信部１７は、ネットワーク通信インターフェース部１８を経由して操作応答データを受信し、クライアント２1 、２2 へ実行結果をクライアント・インターフェース部１１を経由して応答する。
【００３８】
Ｓ６．操作者による操作の実行時刻とコマンドおよび結果をコマンド履歴データベース１９へ格納する。
【００３９】
Ｓ７．Ｓ３にてＮｏの場合、サーバ１は、クライアント２1 、２2 へ制御不許可メッセージを応答する。
【００４０】
以上の手順により、クライアントからのネットワーク装置制御要求時に予め設定しておいたクライアント操作権限のスケジュール情報から当該要求クライアントが制御操作を許可されているか否かをチェックし、クライアントはシステムデータベースの内容のもとに管理対象装置を制御操作し、コマンド履歴を履歴データーベースへ格納することが可能である。
【００４１】
図１０は、本発明の一実施形態における複数クライアント間での割込制御フローチャートである。以下、図１０の動作フローについて、図２、図４および図５を用いて説明する。
【００４２】
Ｓ８．操作者がクライアント２1 、２2 にて管理スケジュール画面５の割込作業ボタンを押下することにより、起動する。  
【００４３】
Ｓ９．割込処理がスタートする。
【００４４】
Ｓ１０．操作者は、パスワード入力画面６でパスワードを入力する。
【００４５】
Ｓ１１．認証ＯＫか否かを判断する。
【００４６】
Ｓ１２．Ｓ１１にてＹｅｓの場合、優先クライアントへ割込み通知を行い、Ｓ１１にてＮｏの場合は、継続不能で終了となる。
【００４７】
Ｓ１３．コマンド受付をロックする。
【００４８】
Ｓ１４．実行中コマンドが有るか否かを判断する。
【００４９】
Ｓ１５．Ｓ１４にてＹｅｓの場合、そのコマンドの完了待ちとなる。
【００５０】
Ｓ１６．Ｓ１４にてＮｏの場合、コマンド受付ロックを解除する。
【００５１】
Ｓ１７．割込みクライアントへ許可通知を送る。
【００５２】
Ｓ１８．割込みクライアントから操作を実行する。
【００５３】
Ｓ１９．割込みクライアントから終了通知を受信する。
【００５４】
Ｓ２０．コマンド受付をロックする。
【００５５】
Ｓ２１．実行中コマンドが有るか否かを判断する。
【００５６】
Ｓ２２．Ｓ２１にてＹｅｓの場合、コマンド完了待ちとなる。
【００５７】
Ｓ２３．Ｓ２１にてＮｏの場合は、コマンド受付ロックを解除する。
【００５８】
Ｓ２４．元の優先クライアントへ許可通知をする。
【００５９】
以上の手順により、予め設定しておいた割込みパスワード入力の認証をチェックし、認証許可を得たクライアントから状態変更情報をサーバへ通知し、サーバは割込みクライアントヘ割込みを許可する状態変更情報を送信することが可能である。
【００６０】
図１１は、本発明の一実施形態における複数クライアント間での作業権限切替制御フローチャートである。以下、図１１の動作フローについて、図２を用いて説明する。
【００６１】
Ｓ２５．操作者がクライアント２1 、２2 を操作すると、サーバ１が自動起動される。
【００６２】
Ｓ２６．スケジュール情報を管理データベース１４から取得する。
【００６３】
Ｓ２７．カウンタｎ＝０に設定する。
【００６４】
Ｓ２８．クライアントｎが現在操作を許可されているか否かを判断する。
【００６５】
Ｓ２９．Ｓ２８にてＹｅｓの場合、コマンド履歴データベース１９より他クライアントが実行したコマンド情報を取得する。
【００６６】
Ｓ３０．クライアントｎヘ、現在許可されている事を示すメッセージと、コマンド履歴情報を通知する。
【００６７】
Ｓ３１．Ｓ２８にてＮｏの場合、クライアントｎへ現在不許可である事を示すメッセージを通知する。
【００６８】
Ｓ３２．全クライアントの作業が終了したか否かを判断する。
【００６９】
Ｓ３３．Ｓ３２にてＮｏの場合、クライアント番号＋１のクライアントを選択し、Ｓ２８のステップへフィードバックする。
【００７０】
以上の手順により、予め設定しておいたクライアント操作権限のスケジュール情報が時刻に応じて別のクライアントへ操作権限を与える際に、前に操作権限のあったクライアントで操作した作業記録情報新たなクライアントのモニターへ送信することが可能である。      
【００７１】
以上の実施例を含む実施形態に関し、更に以下の付記を開示する。
【００７２】
（付記１）  複数のクライアントを有するネットワーク管理サーバにおいて、少なくともクライアント情報、ユーザ情報またはスケジュール情報を格納する管理データベースと、クライアントからのネットワーク装置制御要求時に前記管理データベースの内容から当該要求クライアントが制御操作を許可されているか否かをチェックするクライアント情報チェック部と、少なくとも管理対象となる装置の装置情報またはネットワーク情報を格納するシステムデータベースと、前記システムデータベースの内容をもとに管理対象装置との間で制御操作を行いそのコマンド履歴を格納するコマンド履歴データベースと、を有することを特徴とするネットワーク管理サーバ。
【００７３】
（付記２）  通信ネットワークシステムを構成する装置を制御するネットワーク管理サーバのクライアント操作管理方法であって、前記ネットワーク管理サーバ内に予めクライアント操作権限のスケジュール情報を設定し蓄積するステップと、前記スケジュール情報をもとに、時刻に応じて前記ネットワーク管理サーバから前記クライアントへ状態変更情報を送信するステップと、前記クライアントはサーバからの状態更新情報に従い操作できる機能を設定するステップと、を含むことを特徴とするクライアント操作管理方法。
【００７４】
（付記３）  請求項２に記載のクライアント操作管理方法において、更に、クライアントからのネットワーク装置制御要求時に前記スケジュール情報の格納内容から当該要求クライアントが制御操作を許可されているか否かをチェックするステップと、少なくとも装置情報またはネットワーク情報を格納するシステムデータベースの内容をもとに管理対象装置との間でクライアントの制御操作を行うステップと、クライアントが操作したコマンド履歴をコマンド履歴データベースへ格納するステップと、を含むことを特徴とするクライアント操作管理方法。
【００７５】
（付記４）  通信ネットワークシステムを構成する装置を制御するネットワーク管理サーバのクライアント操作管理方法であって、予め設定しておいた割り込みパスワード入力の認証をチェックするステップと、認証許可を得たクライアントから状態変更情報を前記サーバへ通知するステップと、前記サーバは割込みクライアントへ割込みを許可する状態更新情報を送信するステップと、を含むことを特徴とするクライアント操作管理方法。
【００７６】
（付記５）  通信ネットワークシステムを構成する装置を制御するネットワーク管理サーバのクライアント操作管理方法であって、予め設定しておいたクライアント操作権限のスケジュール情報が時刻に応じて別のクライアントへ操作権限を与える際に、前に操作権限の有ったクライアントで操作した作業記録情報を新たなクライアントヘ送信するステップと、前記新たなクライアントのモニタへ前記作業記録情報を表示するステップと、
を含むことを特徴とするクライアント操作管理方法。
【００７７】
（付記６）  複数のクライアントにより管理されるネットワークの構成において、前記クライアントのモニタに表示されるスケジュール表示内容は、少なくとも開始時刻・終了時刻、曜日指定または優先クライアントを含むことを特徴する複数のクライアントによるネットワーク管理操作モニタ表示。
【００７８】
（付記７）  付記６に記載の複数のクライアントによりネットワーク管理操作モニタ表示において、更に、スケジュール操作のためのスケジュール追加ボタン、スケジュール変更ボタン及びスケジュール削除ボタンを有することを特徴とする複数のクライアントによるネットワーク管理操作モニタ表示。
【００７９】
（付記８）  付記６に記載の複数のクライアントによりネットワーク管理操作モニタ表示において、更に、スケジュール外割込み操作のための割込作業ボタンを有することを特徴とする複数のクライアントによるネットワーク管理操作モニタ表示。
【００８０】
（付記９）  付記７又は付記８に記載の複数のクライアントによりネットワーク管理操作モニタ表示において、前記スケジュール追加ボタン、前記スケジュール変更ボタン、前記スケジュール削除ボタンまたは前記割込作業ボタンはタッチパネル構成であることを特徴とする複数のクライアントによるネットワーク管理操作モニタ表示。
【産業上の利用可能性】
【００８１】
本発明は、複数のクライアントから操作者が管理対象の通信ネットワークを制御を行うことができるシステムにおいて、他クライアントとの排他制御による一括管理による共同運用が可能であり、緊急時に一時的に操作権限を取得でき、更に操作記録情報の伝達により操作連携を実現したネットワーク監視・制御装置に利用できる。
【図面の簡単な説明】
【００８２】
【図１】本発明が対象とする複数のクライアントにより管理されるネットワークの構成図である。
【図２】本発明の一実施形態におけるサーバのブロック構成図である。
【図３】本発明によるクライアントの機能ブロック図である。
【図４】本発明によるモニタに表示される管理スケジュール画面の一実施例である。
【図５】図４における各操作ボタン押下後のパスワード入力画面の一実施例である。
【図６】図４におけるスケジュール追加画面の一実施例である。
【図７】図４におけるスケジュール変更画面の一実施例である。
【図８】図４におけるスケジュール削除画面の一実施例である。
【図９】本発明の一実施形態における複数クライアント間での操作管理制御フローチャートである。
【図１０】本発明の一実施形態における複数クライアント間での割込制御フローチャートである。
【図１１】本発明の一実施形態における複数クライアント間での作業権限切替制御フローチャートである。
【符号の説明】
【００８３】
１    サーバ
２1 、２2   クライアント
３1   装置Ａ
３2   装置Ｂ
３3   装置Ｃ
３4   装置Ｄ
４    モニタ
５    管理スケジュール表示画面
６    パスワード入力表示画面
７    スケジュール追加表示画面
８    スケジュール変更表示画面
９    スケジュール削除表示画面
１１    クライアント・インターフェース部
１２    システムクロック
１３    クライアント情報チェック部
１４    管理データーベース
１５    システムデーターベース
１６    送信データ生成部
１７    応答データ受信部
１８    ネットワーク通信インターフェース部
１９    コマンド履歴データベース
２１    グラフィカル・ユーザ・インターフェース部
２２    応答処理部
２３    送信処理部
２４    メモリ
２５    サーバ・インターフェース部
【図１】
2007096707.tif 000003
【図２】
2007096707.tif 000004
【図３】
2007096707.tif 000005
【図４】
2007096707.tif 000006
【図５】
2007096707.tif 000007
【図６】
2007096707.tif 000008
【図７】
2007096707.tif 000009
【図８】
2007096707.tif 000010
【図９】
2007096707.tif 000011
【図１０】
2007096707.tif 000012
【図１１】
2007096707.tif 000013